(57)【特許請求の範囲】
【請求項１】
木造建築物の床下地材の防水施工法であって、
建築現場において床下地材を設置するステップと、
設置された前記床下地材の表面に、１重量％〜１５重量％のアクリル酸エステル共重合体を含む撥水塗料を、噴霧器により噴霧するステップとを含む、床下地材の防水施工法。
【請求項２】
前記噴霧するステップは、携帯可能な手動の蓄圧式噴霧器を用いて実施される、請求項１に記載された床下地材の防水施工法。
【請求項３】
前記撥水塗料は、６５．３重量％〜６５．８重量％の水を含む、請求項１又は２に記載された床下地材の防水施工法。
【請求項４】
木造建築物の床下地材であって、撥水塗料が表面に噴霧器により噴霧されており、前記撥水塗料は、１重量％〜１５重量％のアクリル酸エステル共重合体を含む撥水塗料である、床下地材。
【請求項５】
前記撥水塗料は、６５．３重量％〜６５．８重量％の水を含む、請求項４に記載された床下地材。
【発明の詳細な説明】
【技術分野】
【０００１】
本発明は、木造建築物の床下地材の防水施工法に関するものである。
【背景技術】
【０００２】
従来から、木造戸建て住宅の建築中に床下地材が雨等で濡れてしまうと乾燥しにくく、仕上げの床材を貼った後までカビの原因となるという問題があった。床下のカビは、居住者の健康を害するほか、シロアリ等の害虫を呼び、住宅の寿命を縮めてしまうことになる。
【０００３】
これに対する対応策として、床下地材にフィルム状の粘着性シートを貼る方法があるものの、床下地材間の継ぎ目から水が浸透する可能性がある。さらに、施工途中でチリ等を踏んでしまうと、粘着性シートに穴が開く。そうすると、穴から侵入した水がシートで覆われることによって蒸発できずに、カビの繁殖を促すため逆効果になる、という問題があった。
【０００４】
また、通気性に優れた防水シートもあるが、微細な空気孔が開いているため強度の面で劣り、一般的なシートよりも穴が開きやすくなっている。さらに、施工条件にも問題がある。すなわち、木造戸建て住宅における床下地材の設置作業は通常は一人で担当するため、シート貼作業は作業効率が低い。とりわけ、風の強い日などは隣接するシートを剥がしてしまうなど、時間をとられることになる。
【０００５】
他方、工場などにおいて基材に樹脂組成物を塗布・乾燥して形成される床下地材も知られている（例えば、特許文献１参照）。これによって、優れた耐水性と耐スリップ性を有する床下地材になる。
【先行技術文献】
【特許文献】
【０００６】
【特許文献１】特開平７−１７９８０７号公報
【発明の概要】
【発明が解決しようとする課題】
【０００７】
しかしながら、特許文献１のように、工場において基材に樹脂組成物を塗布・乾燥しようとすると、専用の大型の設備が必要となるため、現実的ではなかった。
そこで、本発明は、建築現場において容易に防水施工できる、木造建築物の床下地材の防水施工法を提供することを目的としている。
【課題を解決するための手段】
【０００８】
前記目的を達成するために、本発明の床下地材の防水施工法は、木造建築物の床下地材の防水施工法であって、建築現場において床下地材を設置するステップと、設置された前記床下地材の表面に、撥水塗料を噴霧するステップとを含んでいる。
【発明の効果】
【０００９】
このように、本発明の床下地材の防水施工法は、木造建築物の床下地材の防水施工法であって、建築現場において床下地材を設置するステップと、設置された床下地材の表面に撥水塗料を噴霧するステップとを含んでいる。このため、建築現場において容易に防水施工が可能になる。
【図面の簡単な説明】
【００１０】
【図１】２Ｘ４住宅工法のフローチャートである。
【図２】本発明の床下地材の防水施工法のフローチャートである。
【図３】携帯可能な手動の蓄圧式噴霧器の斜視図である。
【図４】２Ｘ４住宅工法によって建てられた住宅の概略構造図である。
【発明を実施するための形態】
【００１１】
以下、本発明の実施の形態について図面を参照して説明する。
【実施例】
【００１２】
（床下地材の防水施工法）
本実施例の床下地材の防水施工法について説明する。ここでは、床下地材の防水施工法が、２Ｘ４住宅工法に適用される場合について説明する。ただし、本発明の床下地材の防水施工法は、床下地材が雨や雪などによって濡れる可能性のある工法であれば適用可能である。もちろん、根太レス工法の床下地材にも適用することができる。
【００１３】
まず、２Ｘ４住宅工法の全体の工程について説明する。図１に示すように、２Ｘ４住宅工法の全体の手順は、以下の各工程を含む：
ステップＳ１：基礎１０を作る。基礎１０は、鉄筋コンクリート製の布基礎であってもよいし、べた基礎であってもよい。基礎には、土台２１を固定するためのアンカーボルトが埋め込まれている。
ステップＳ２：１階の床組を作る。具体的にいうと、まず、基礎から突出しているアンカーボルトで土台２１を基礎１０に固定する。土台２１と同じ部材を用いて大引２２を架け渡す。次に、土台２１上に根太２３、ころび止め２４、及び端根太２５を設置する。次に、根太２３、ころび止め２４、及び端根太２５の上に、床下地材２６を設置する。最後に、床下地材２６の上に床仕上材２７を貼りつける。
ステップＳ３：１階の床組の上に１階の壁組を組み立てる。
ステップＳ４：２階の床組を作る。
ステップＳ５：２階の床組の上に２階の壁組を組み立てる。
ステップＳ６：小屋組を載せる。
【００１４】
次に、本発明の床下地材の防水施工法について説明する。本発明の床下地材の防水施工法は、図２に示すように、木造建築物の床下地材の防水施工法であって、建築現場において床下地材２６を設置するステップ（ステップＳ２１）と、設置された床下地材２６の表面に、撥水塗料を噴霧するステップ（ステップＳ２２）とを含んでいる。
【００１５】
床下地材２６を設置するステップ（ステップＳ２１）では、釘打機を用いて釘で構造用合板を根太２３等に固定する。上述したように、この床下地材２６を設置するステップの完了時点では、周囲には壁組がないうえ、上方にも２階の床組又は小屋組がないため、設置された床下地材２６は、雨等で濡れる可能性がある。
【００１６】
撥水塗料を噴霧するステップ（ステップＳ２２）では、後述するアクリル酸エステル共重合体を含む撥水塗料を蓄圧式噴霧器３０に入れて、床下地材２６の表面に噴霧する。
【００１７】
ここで、本発明の床下地材の防水施工法で使用する携帯可能な手動の蓄圧式噴霧器３０について説明する。この蓄圧式噴霧器３０は、容器部３１と、ノズル３２と、ポンプ圧を発生するピストン３３と、持ち手３４とを有する。蓄圧式噴霧器３０は、この他、図示しない安全弁などを有する。蓄圧式噴霧器３０としては、容器部３１に溜めた液体を加圧することによって、細かい霧状にして木や草などに散布するために用いる市販のものを使用できる。なお、蓄圧式噴霧器３０として、電動式のものを用いることもできる。
【００１８】
そして、床下地材の防水施工法においては、手動でピストン３３をポンピングして加圧する。３リットルの撥水塗料を使用する一般的な戸建住宅１フロアの防水作業であれば、途中のポンピング時間を含んでも約２０分で防水作業を完了する。乾燥には、夏季で１５−３０分、冬季で３０−６０分を要する。完全乾燥には２日間を要する。撥水塗料は１ｋｇ当たり１５−１８ｍ２の面積に塗布することができる。
【００１９】
（撥水塗料）
次に、本実施例の床下地材２６に噴霧される撥水塗料について説明する。本発明で使用する撥水塗料は、噴霧できる撥水塗料である。撥水塗料を噴霧すれば、短時間で広範囲に撥水塗料を塗布することできる。
【００２０】
本発明で使用される撥水塗料は、設置された床下地材２６の表面に塗布するため、塗布後にホルムアルデヒドを放出しない、できるだけ人体に無害な撥水塗料が好ましく、具体的には、ホルムアルデヒドの放出量は、ＪＩＳ  Ｋ５６０１−４−１のデシケータ法に従って測定した場合（定量方法はＨＰＬＣ法）、０．１２ｍｇ／ｌ以下であることが好ましい。
【００２１】
本発明で使用する撥水塗料は、安全性、経済性、扱いやすさの観点から、水性撥水塗料であることが好ましい。本発明に使用される撥水塗料に含まれる水の量は、状況に応じて適宜選択できる。多すぎると撥水効果が低下してしまい、少なすぎると粘性が増加し、取扱いが不便になる。水の含有量は、撥水塗料全体に対し、好ましくは３０重量％〜８０重量％、より好ましくは６０重量％〜７０重量％であり、例えば、６５．３重量％〜６５．８重量％などが挙げられる。
【００２２】
本発明に使用される撥水塗料は、撥水効果を高める観点から、アクリル酸エステル共重合体を含むことができる。アクリル酸エステル共重合としては、アクリル酸メチル、アクリル酸エチル、アクリル酸イソプロピル、アクリル酸ブチル、アクリル酸２−エチルヘキシル等のアクリル酸アルキルエステルや、アクリル酸２−ジメチルアミノエチル、アクリル酸２−ヒドロキシエチル等の官能基を含むアクリル酸エステルが挙げられ、これらアクリル酸エステルを２種以上共重合体させて得ることができる。撥水塗料中のアクリル酸エステル共重合体の割合は、撥水塗料全体に対し好ましくは１重量％〜１５重量％、より好ましくは３重量％〜１０重量％であり、例えば、６．１〜６．７重量％などが挙げられる。
【００２３】
本発明に使用される撥水塗料は、パラフィンワックスを含むことができる。パラフィンワックスの種類は通常撥水塗料に使用される成分でよく、本発明の効果を阻害しない範囲で適宜選択し、使用することができる。パラフィンワックスの割合は、撥水塗料全体に対し好ましくは５重量％〜３０重量％、より好ましくは１０重量％〜２０重量％であり、例えば、１２．８重量％〜１４．４重量％が挙げられる。
【００２４】
本発明に使用される撥水塗料は、金属酸化物、例えば、酸化ジルコニウムを含むことができる。酸化ジルコニウムは、耐候性を飛躍的に増加させることができる場合があり、撥水機能を高めることができる。
【００２５】
本発明の撥水塗料は、鉱油を含むことができる。鉱油についても、本発明の効果を阻害しない範囲で適宜選択し、使用することができる。鉱油の割合は、撥水塗料全体に対し好ましくは５重量％〜３０重量％、より好ましくは１０重量％〜２０重量％であり、例えば、１２．８重量％〜１４．４重量％であることが好ましい。
【００２６】
本発明に使用される撥水塗料は、場合によって、合成樹脂、ノニオン活性剤、アニオン活性剤、非イオン界面活性剤、エチレングリコール等のグリコール類、イソプロピルアルコール等のアルコール類を含有することができる。また、本発明の目的を逸脱しない範囲で、気候や条件などに応じて他の成分を含有することができる。
【００２７】
本発明の撥水塗料は、噴霧器により噴霧できる粘性を有する液体である。噴霧できる粘性とは、一般的に使用される噴霧器、好ましくは一般的に使用される蓄圧式噴霧器で正常な状態で撥水塗料を霧状にできる粘性である。
【００２８】
本発明で使用される撥水塗料は、下地材表面に塗布後、屋根・壁等を完成させて、下地材への雨水の侵入を防ぐことができるようになれば、その後、防水効果が失われても差し支えない。すなわち、長期にわたり耐候性を維持できなくてもよい。このような状況から、撥水塗料に含まれる水の成分の割合を通常の撥水塗料よりも多く含ませ、撥水効果が短くなる代わりに、取扱いやすくするように調整することもできる。すなわち、当該撥水塗料は、いわゆる短期耐候型撥水性防水塗料であればよい。
【００２９】
なお、本発明で使用される撥水塗料は、低粘性で木材の内部まで浸透させることができる撥水塗料が好ましい。内部まで浸透した撥水剤は、その効果により、居住者の病気の原因となるカビの発生を防止することができる。また、本発明に使用される撥水塗料は、人体に無害であるか又は有害物質を含んでもその量はきわめて少ないため、撥水効果がなくなっても、撥水塗料を取り除く必要はなく、施工期間をより短縮化することができる。
【００３０】
市販されている撥水塗料では、例えば株式会社エココスモ製の「撥水君・ジュニア」（商品名）を使用できる。
【００３１】
次に、本実施例の床下地材の防水施工法が奏する効果を列挙して説明する。
（１）本実施例の床下地材の防水施工法は、木造建築物の床下地材の防水施工法であって、建築現場において床下地材２６を設置するステップと、設置された床下地材２６の表面に、撥水塗料を噴霧するステップとを含んでいる。このため、建築現場において、容易に防水施工が可能になる。このように、建築現場において撥水塗料を噴霧することで、防水シート方式に見られる、防水シート継ぎ目からの水が浸入するおそれもない。さらに、使用済みの防水シートの廃棄にかかるコストを削減できる。
【００３２】
（２）噴霧するステップは、携帯可能な手動の蓄圧式噴霧器を用いて実施されることによって、建築現場において一人できわめて短時間の間に作業できるうえ、電源設備も不要となる。さらに、板材の継ぎ目や小口等の注意箇所には、撥水塗料を特に入念に塗布することができる。
【００３３】
（３）撥水塗料は、アクリル酸エステル共重合体を含む撥水塗料であるから、水溶性低分子構造で乾燥が早く、あらゆる木材、合板に適用できる。さらに、浸透塗膜型の撥水塗料であるため、塗布直後に表面を傷つけても効果が著しく損なわれるということがない。
【００３４】
さらに、本発明に使用される撥水塗料は、木の呼吸と吸放湿性を妨げないのでカビの発生を極力防ぐことができるという効果も奏する。また、撥水塗料の完全乾燥後には、無色無臭で材種そのものの香りを残し、木本来の素材を生かすことができる。加えて、ホルムアルデヒド発散建築材料の使用面積制限（建築基準法）において「Ｆ星４つ」（使用面積制限なし）はもちろん、財団法人食品分析センター試験でも１０項目をクリアしている。また、有害化学物質を含んでいないため、木材のリサイクルや燃焼時にも支障がない。さらに、防水効果が不要となった段階でもはがすことなくそのまま床仕上材２７を貼設することができる。
【００３５】
逆に言うと、このような性質を有する撥水塗料のみが、床下地材に塗布することができる。すなわち、仮に有害化学物質を含むとすれば、床仕上材２７を貼設する前に撥水塗料を除去する必要があるが、現実的には除去はきわめて困難である。
【００３６】
（４）撥水塗料は、６５．３重量％〜６５．８重量％の水を含むことが好ましい。水がこの範囲にあれば、必要な撥水性能を保持しつつも、噴霧に必要な粘性・流動性を得ることができる。
【００３７】
（５）本発明の木造建築物の床下地材２６は、撥水塗料が表面に噴霧されており、撥水塗料は、アクリル酸エステル共重合体を含む撥水塗料であるため、水溶性低分子構造で乾燥が早く、あらゆる木材、合板に適用できる。さらに、浸透塗膜型の撥水塗料であるため、塗布直後に表面を傷つけても効果が著しく損なわれるということがない。
【００３８】
（６）撥水塗料は、６５．３重量％〜６５．８重量％の水を含むことによって、必要な撥水性能を保持しつつも、噴霧に必要な粘性・流動性を得ることができる。
【００３９】
（７）さらに、本発明の床下地材の防水施工法は、床よりも柱を先行して施工する建築物に対して特に有効である。なぜなら、床下地材を貼設する時点で既に柱が立設されているため、床下地材を防水シートで覆う場合には部屋ごとに防水シートを貼る必要があるためである。これに対して、本発明の床下地材の防水施工法であれば、柱が立設されていても、問題なく撥水塗料を噴霧できる。さらに、柱が立設される隅角部近傍に重点的に噴霧できるという利点もある。
【００４０】
以上、図面を参照して、本発明の実施例を詳述してきたが、具体的な構成は、この実施例に限らず、本発明の要旨を逸脱しない程度の設計的変更は、本発明に含まれる。
【００４１】
例えば、実施例では、木造建築物として２Ｘ４住宅工法によって作られる住宅に、床下地材の防水施工法を適用する場合について説明したが、これに限定されるものではない。
【００４２】
また、木造建築物は、主要な部材が木材によって構成されることを限定しているのであって、必ずしもすべての材料が木材で構成されることを限定するものではなく、合成樹脂などを用いることもできる。
【００４３】
さらに、実施例では、１階の床組を作る際に、床下地材の防水施工法を適用する場合について説明したが、これに限定されるものではなく、２階や３階の床組を作る際にも、本発明の床下地材の防水施工法を適用できる。
【符号の説明】
【００４４】
１０        基礎
２１        土台
２２        大引
２３        床根太
２４        ころび止め
２５        端根太
２６        床下地材
２７        床仕上材
３０        蓄圧式噴霧器
【要約】
【課題】建築現場において容易に防水施工できる、木造建築物の床下地材の防水施工法を提供する。
【解決手段】木造建築物の床下地材の防水施工法であって、床下地材を設置するステップと、設置された床下地材の表面に、撥水塗料を噴霧するステップとを含む。また、噴霧するステップは、携帯可能な手動の蓄圧式噴霧器を用いて実施されることが好ましい。撥水塗料は、アクリル酸エステル共重合体を含む撥水塗料であることが好ましい。
【選択図】図２【図１】
0005592033.tif 000002
【図２】
0005592033.tif 000003
【図３】
0005592033.tif 000004
【図４】
0005592033.tif 000005